(57)【要約】【課題】有害獣によって碍子ごと支柱が倒されることなく有害獣を容易に撃退できる獣害防止用電気柵を提供する。【解決手段】本発明の獣害防止用電気柵は、複数本の支柱２を所定間隔を介して立設し、該支柱２側に付設された線止具１２を介して支柱２間に電線３ａ，３ｂを配線し、該電線３ａ，３ｂに所定電圧の通電を行う。そして少なくとも上記線止具１２の表面に電気柵１に近接する獣類の接触を誘導する導電性材料よりなる的部１３を形成又は付設し、該的部１３を上記電線３ａ，３ｂと接続した構成となっている。  また線止具１２が電線３ａ，３ｂを支持するための絶縁体からなる碍子であって、碍子の表面に的部１３を付設している。【選択図】図１
2008079521.tif 000002
【特許請求の範囲】
【請求項１】
複数本の支柱（２）を所定間隔を介して立設し、該支柱（２）側に付設された線止具（１２）を介して支柱（２）間に電線（３ａ），（３ｂ）を配線し、該電線（３ａ），（３ｂ）に所定電圧の通電を行う電気柵（１）において、少なくとも上記線止具（１２）の表面に電気柵（１）に近接する獣類の接触を誘導する導電性材料よりなる的部（１３）を形成又は付設し、該的部（１３）を上記電線（３ａ），（３ｂ）と接続した獣害防止用電気柵。
【請求項２】
線止具（１２）が的部（１３）である請求項１の獣害防止用電気柵。
【請求項３】
線止具（１２）が碍子であって、碍子の表面に的部（１３）を付設した請求項１の獣害防止用電気柵。
【請求項４】
支柱（２）の獣類接近側に所定寸法突出する張出し部（７）を設け、該張出し部（７）の先端側に配線基材（８）を取付け、該配線基材（８）に線止具（１２）を介して電線（３ａ），（３ｂ）を配線した請求項１又は２又は３の獣害防止用電気柵。
【請求項５】
配線基材（８）の下端部と電気柵設置地面との間に、所定高さ（Ｈ）を有する除草作業用の空間を設けてなる請求項４の獣害防止用電気柵。
【発明の詳細な説明】
【技術分野】
【０００１】
本発明は、地面に設けられた支柱に配線される電線に衝撃電圧を送り獣類を撃退する電気柵であって、特に獣類によって碍子ごと支柱が倒されることなく獣類を容易に撃退できる獣害防止用電気柵に関する。
【背景技術】
【０００２】
従来、地面に所定間隔毎に設けられた支柱に配線される電線に、電圧発生器から発生させた衝撃電圧（高電圧）を送り、電線に接触する獣類を感電によって撃退する電気柵は公知である（例えば特許文献１。）。
【特許文献１】特開２００２−２７２３５５
【発明の開示】
【発明が解決しようとする課題】
【０００３】
上記特許文献１で示される電気柵は、イノシシが電気柵に興味を示し、最初に触れる箇所は合成樹脂製の線材取付具３ａ，３ｂであるものの、その線材取付具３ａ，３ｂは支柱１´に電気的に絶縁して裸電線２ａ，２ｂを取付けたものであるために、イノシシが鼻や口を使って線材取付具３ａ，３ｂとともに支柱１を倒して、柵内に侵入するという問題があった。
この発明は、これらの課題を解決又は改善し、獣類によって碍子ごと支柱が倒されることなく獣類を容易に撃退できる獣害防止用電気柵を提供するものである。
【課題を解決するための手段】
【０００４】
上記課題を解決するための獣害防止用電気柵における的部は、第１に、複数本の支柱２を所定間隔を介して立設し、該支柱２側に付設された線止具１２を介して支柱２間に電線３ａ，３ｂを配線し、該電線３ａ，３ｂに所定電圧の通電を行う電気柵１において、少なくとも上記線止具１２の表面に電気柵１に近接する獣類の接触を誘導する導電性材料よりなる的部１３を形成又は付設し、該的部１３を上記電線３ａ，３ｂと接続したことを特徴としている。
【０００５】
第２に、線止具１２が的部１３であることを特徴としている。
【０００６】
第３に、線止具１２が碍子であって、碍子の表面に的部１３を付設したことを特徴としている。
【０００７】
第４に、支柱２の獣類接近側に所定寸法突出する張出し部７を設け、該張出し部７の先端側に配線基材８を取付け、該配線基材８に線止具１２を介して電線３ａ，３ｂを配線したことを特徴としている。
【０００８】
第５に、配線基材８の下端部と電気柵設置地面との間に、所定高さＨを有する除草作業用の空間を設けてなることを特徴としている。
【発明の効果】
【０００９】
上記のように構成される本発明によれば、線止具の表面に獣類の接触を誘導する導電性材料よりなる的部を形成又は付設したことにより、線止具に接近した獣類を容易に感電させて撃退することができる。線止具自体を的部とし又は線止具に的部を設けることにより、両者を一体的にすることができ、設置の手数やコスト低減ができる。
また支柱の獣類接近側に突設した張出し部の先端に配線基材を設け、その配線基材に電線を配線することによって支柱と電線を離して設けることができるので、支柱と獣類との接触を防止することができる。
さらに配線基材の下端部と地面との間に、所定高さの除草作業用の空間を設けることにより、支柱に邪魔されることなく電線直下に生える雑草を刈り取ることができる。また支柱の根元付近に生えた雑草による漏電を防ぐことができる。
【発明を実施するための最良の形態】
【００１０】
以下本発明の実施形態について図面に基づき説明する。図１は本発明の電気柵の斜視図、図２は平面図である。この電気柵１は所定間隔毎に設けられた複数本の支柱２と、その支柱２間に取付けて配線される上下の電線３ａ，３ｂ等から構成される。電気柵１の近傍に設置される電圧発生器（図示しない）によって発生させるパルス状の高電圧を、獣類に対する衝撃電圧として電線３ａ，３ｂに送る構成となっている。
【００１１】
これにより、獣類近接ゾーン４側（獣類近接側）から電気柵１を越えようとして、電線３ａ，３ｂに接触する獣類に対し衝撃電圧（電気的ショック）を与え、獣類を撃退させ侵入禁止ゾーン６側への侵入を防止する。なお電線は従来のものと同様に絶縁被覆を施さない裸電線とし、侵入防止を図る獣類の背丈や大きさに対応した電線数，配線間隔が選択される。
【００１２】
次に電気柵１の各部の構成について説明する。支柱２は、柱部の中途部又は上部（図示しない）の所定位置に、絶縁部材からなる張出しアーム（張出し部）７が、獣類近接ゾーン４側に向けて張出し巾Ｌを介して突設される。
【００１３】
張出しアーム７の先端部には、上下方向の配線間隔を有して電線３ａ，３ｂを支持する導電性材料からなる円柱状の配線基材８が、支柱２と略平行となるように上下方向に設けられる。配線基材８は導電性材料を用いることにより配線基材８自体を獣類の接触を誘導する的部として利用することができる。
【００１４】
配線基材８は、張出しアーム７の先端部に設けた上下方向の取付筒９にスライド自在に挿入され固定ビス１１で固定される。配線基材８を取付筒９にスライド自在に取付けることにより、電線３ａ，３ｂの地面からの配線高さ調節を簡単にすることができ、また長い配線基材８の交換を容易に行うことができる。
【００１５】
電線３ａ，３ｂは陶器又は合成樹脂製等の絶縁素材からなる線止具１２を介して配線基材８に取付けられている。その線止具１２の獣類近接ゾーン４側の表面には、電線３ａ，３ｂと電気的に接続される導電性材料からなる的部１３が露出形成されるか又は導電性のシートやプレート等を貼着又はビス止め等により取付けて付設されている。なお線止具１２は中央に設けられた孔１２ａにボルト等の係止具を挿通するなどして配線基材８に取付けられる。
【００１６】
上記線止具１２表面は獣類の接触を誘導するように素材の色や表面の光沢，光の反射構造，夜光性又は蓄光性材料等によって工夫された的部１３を兼ねており、そのサイズは従来の碍子に比して大きく設定されている。本発明者等の研究により獣類（特に猪）は電気柵１に接近した時、支柱２，配線基材８等の目立ち易いものを標的として進んで押し倒す性質を持っていることが明らかになっている。
【００１７】
従って上記線止具１２を介して配線基材８に電線３ａ，３ｂを配線することにより、獣類（猪）が口や鼻等の肌が露出した部分で線止具１２を最初に触ることにより、獣類（猪）を感電させて、撃退する構成となっている。
【００１８】
支柱２は下部に鍔状の差込規制部２ａが設けられ、打ち込み等の手段によって地面に差し込む深さを規制することができ、該差込規制部２ａの底面に突起や凹凸を設けて支柱２の回転を防止する機構にすることもできる。
【００１９】
上記張出しアーム７で支持される各配線基材８は、図１で示されるように張出し巾Ｌ及び地面上に空間高さＨを隔てて設けられるので、支柱２から獣類近接ゾーン４側で配線基材８の下方に広い空間を形成することができる。
【００２０】
この空間は地面に生える雑草を刈り取る刈取りスペース４ａになり、配線基材８の下方及び支柱２の回りに繁茂する雑草等を刈り払い機で刈り取るとき、刈刃を支柱２に接触させることなく電線３ａ，３ｂの直下に生える雑草を綺麗に刈り取ることができる。
【００２１】
また空間部を介して獣類近接ゾーン４側に電線３ａ，３ｂが配線されているので、支柱２の根元周りに刈り残された雑草が伸びたとしても、電線３ａ，３ｂとの接触が防止され雑草による漏電の心配も解消することができる。また支柱２は電線３ａ，３ｂより張出しアーム７を隔てて侵入禁止ゾーン６側に位置しているので、猪等の獣類が支柱２を直接的に押し倒すこともない。
【００２２】
また的部を兼ねた線止具１２の他に、導電性材料によって所定のサイズに形成された的部１３を上下に配線した電線３ａと電線３ｂの間に設けることもできる。そして的部１３も電線３ａ，３ｂとを上下方向に通電可能に接続され、電気柵１に接近する獣類の接触を誘導する的となっている。
【００２３】
的部１３は形状やサイズを棒状，板状，シート状，メッシュ状，格子状等で任意に形成される。そして、支柱２と支柱２の間における電線３ａ，３ｂの中途部や、支柱２或いは配線基材８の電線３ａ，３ｂに取付けることができる。
【００２４】
電気柵１は従来のものと同様に、地面に立設する支柱間隔を約２００〜３００ｃｍとし、配線される電線３ａと電線３ｂの上下間隔は４５ｃｍ〜５０ｃｍ程度で、且つ下段の電線３ｂの高さは約２５ｃｍにしている。電線３ａ，３ｂを配線する配線基材８は支柱２から張出し巾Ｌと空間高さＨを有して支持される。
【００２５】
この電気柵１によれば獣類近接ゾーン４側から接近する獣類（猪）が、支柱２に設けられた線止具１２（的部１３）に関心を示して誘導され、鼻或いは口を確実に接触させる。これにより露出した肌を線止具１２（的部１３）に直接的に接触させた猪には、パルス状の衝撃電圧が電線３ａ，３ｂから線止具１２（的部１３）を介して体内を通って足から地面に流れ、且つ地面からアース部を介して電圧発生器のマイナス側に流れる。
【００２６】
よって獣類（猪）は体毛を介しないで肌から直接的に衝撃電圧を受けるので、体内に強い電撃を受けて電気柵１から即座に退散することになる。また獣類（猪）が最初に目に付いた支柱２を標的として押し倒そうとしても獣類（猪）は的部を兼ねた線止具１２によって撃退することができる。
【００２７】
また支柱２から獣類近接ゾーン４側に張出して設けられている張出しアーム７又は配線基材８は、支柱２より弱い剛性にすることが望ましく、獣類（猪）が電線３ａ，３ｂ或いは配線基材８に強く接当した場合に、支柱２の変形や傾倒を防止することができる。また変形した張出しアーム７や配線基材８は、曲げ伸ばし等の修復が簡単でメンテナンス作業も容易に行うことができる。
【００２８】
電気柵１は配線基材８の下端部と電気柵設置地面との間に、所定高さＨを有する除草作業用の空間を形成するので、刈り払い機等を用いた雑草の刈り取りを支柱２に邪魔されることなく能率よく簡単に行うことができる。また支柱２周りに刈り残した雑草と電線３ａ，３ｂの接触をなくし、接触による漏電を防止することができる。
【００２９】
上記実施形態では配線基材８に線止具１２を介して電線３ａ，３ｂを配線した例を示したが、支柱２に直接線止具１２を取付けて、その線止具１２を介して電線３ａ，３ｂを配線することもできる。この場合でも獣類（猪）は的部１３が露出形成された線止具１２に誘導されるので、線止具１２に接触した獣類を感電させて追い払うことができる。ただし支柱２は絶縁性材料により形成されることが望ましい。
また絶縁性材料からなる線止具１２の表面に導電性材料からなる的部１３を形成又は付設した例を示したが、線止具１２自体を導電性材料で形成して、その表面を的部１３とすることもできる。そして線止具１２が絶縁体よりなる碍子である場合は、表面の的部１３は電線３ａ，３ｂと電気的に接続する必要がある。
【図面の簡単な説明】
【００３０】
【図１】本発明の電気柵を示す部分斜視図である。
【図２】本発明の電気柵の平面図である。
【図３】本発明の碍子の正面図である。
【図４】本発明の碍子の拡大斜視図である。
【符号の説明】
【００３１】
１    電気柵
２    支柱
３ａ  電線
３ｂ  電線
７    張出しアーム（張出し部）
８    配線基材
１２  線止具
１３  的部
【図１】
2008079521.tif 000003
【図２】
2008079521.tif 000004
【図３】
2008079521.tif 000005
【図４】
2008079521.tif 000006